(57)【要約】【課題】  前面枠基体の装飾部をカバー部材により一括して覆うことにより、前面枠の組立作業性を大幅に向上させてその製造工程の簡素化を図り得る遊技機の前面枠を提供する。【解決手段】  矩形状に形成された前面枠基体に、遊技領域を含む窓孔部と、該窓孔部を除く部位に形成された装飾部とが備えられ、この前面枠基体の表面に、少なくとも窓孔部と対応する部位が透光性を有するように形成されたカバー部材を、窓孔部及び装飾部を一括して覆うように被覆させてなることを特徴とする。前記カバー部材は、被覆する部位毎にそれぞれ対応した形状に形成された複数のカバーパーツを連結させて構成され、また、前記前面枠基体の装飾部に電飾部材が配設されると共に、該電飾部材を被覆するカバー部材の電飾部材被覆部位が透光性を有するレンズ部材として機能する。【選択図】  図５
2006174963.tif 000002
【特許請求の範囲】
【請求項１】
矩形状に形成された前面枠基体に、遊技領域を含む窓孔部と、該窓孔部を除く部位に形成された装飾部とが備えられ、この前面枠基体の表面に、少なくとも前記窓孔部と対応する部位が透光性を有するように形成されたカバー部材を、前記窓孔部及び装飾部を一括して覆うように被覆させてなることを特徴とする遊技機の前面枠。
【請求項２】
前記カバー部材は、被覆する部位毎にそれぞれ対応した形状に形成された複数のカバーパーツを連結させて構成されることを特徴とする請求項１に記載の遊技機の前面枠。
【請求項３】
前記前面枠基体の装飾部に電飾部材が配設されると共に、該電飾部材を被覆する前記カバー部材の電飾部材被覆部位が透光性を有するレンズ部材として機能することを特徴とする請求項１または２に記載の遊技機の前面枠。
【請求項４】
前記前面枠基体の装飾部に音声発生手段が配設されると共に、該音声発生手段を被覆する前記カバー部材の音声発生手段被覆部位に音声通過孔が設けられていることを特徴とする請求項１ないし３のいずれかに記載の遊技機の前面枠。
【請求項５】
前記カバー部材の遊技領域の下方を被覆する部位に、前記前面枠基体の下部に設けられた受皿に遊技球を誘導するための受皿誘導樋が一体形成されていることを特徴とする請求項１ないし４のいずれかに記載の遊技機の前面枠。
【発明の詳細な説明】
【技術分野】
【０００１】
本発明は、外枠に対して開閉自在に装着された内枠の前面に開閉自在に装着されるパチンコ遊技機等の遊技機の前面枠に関するものである。
【背景技術】
【０００２】
従来、この種の例えばパチンコ遊技機としては、図５に示すものが知られている。このパチンコ遊技機１０１は、前面下部に腰板部１０２が張設された外枠の前面側に、該外枠の上端から下部の腰板部１０２の上端までの距離と略等しい高さ幅を有すると共に、遊技盤保持枠を含む状態で形成された内枠が開閉自在に装着されている。そして、この内枠の前面には、該内枠の遊技盤保持領域を被覆する第１の扉枠１０３ａと、この第１の扉枠１０３ａの下方に位置し上皿１０５が設けられた第２の扉枠１０３ｂと、この第２の扉枠１０３ｂの下方に位置し下皿１０６と遊技球発射操作ハンドル１０７等が設けられた第３の扉枠１０３ｃからなる前面枠１０３が配設されて、この前面枠１０３で内枠の前面が被覆されるようになっている。なお、かかるパチンコ遊技機としては、例えば特許文献１及び特許文献２に開示されている。
【特許文献１】特開２００１−３５３３１８号公報
【特許文献２】特開２００２−１５９７０３号公報
【発明の開示】
【発明が解決しようとする課題】
【０００３】
しかしながら、このようなパチンコ遊技機１０１にあっては、遊技機１０１の前面枠１０３が、装飾カバー１０４ａ〜１０４ｃで被覆された第１〜第３の３つの扉枠１０３ａ〜１０３ｃで形成され、これらの各扉枠１０３ａ〜１０３ｃによって内枠（外枠）の前面が被覆される構造であるため、前面枠１０３を製造する場合、例えば各扉枠１０３ａ〜１０３ｃの前面（表面）に装飾カバー１０４ａ〜１０４ｃを取り付け、この各扉枠１０３ａ〜１０３ｃを外枠に対して例えば下方の第３の扉枠１０３ｃから上方に順に取り付ける必要がある。また、この各扉枠１０３ａ〜１０３ｃの取り付け時に、上下の扉枠１０３ａ、１０３ｂあるいは扉枠１０３ｂ、１０３ｃの接合部１０８に規定値以上の隙間が発生しないように、かつ各扉枠１０３ａ〜１０３ｃが互いにスムーズに開放操作できるように位置決めしつつ取り付ける必要があり、これらの各作業が面倒となって、前面枠１０３の製造工程が複雑化し易いという問題点を有している。
【０００４】
本発明は、このような事情に鑑みてなされたもので、その目的は、前面枠基体の装飾部をカバー部材により一括して覆うことにより、前面枠の組立作業性を大幅に向上させてその製造工程の簡素化を図り得る遊技機の前面枠を提供することにある。
【課題を解決するための手段】
【０００５】
かかる目的を達成すべく、本発明のうち請求項１に記載の発明は、矩形状に形成された前面枠基体に、遊技領域を含む窓孔部と、該窓孔部を除く部位に形成された装飾部とが備えられ、この前面枠基体の表面に、少なくとも前記窓孔部と対応する部位が透光性を有するように形成されたカバー部材を、前記窓孔部及び装飾部を一括して覆うように被覆させてなることを特徴とする。
【０００６】
また、請求項２に記載の発明は、前記カバー部材が、被覆する部位毎にそれぞれ対応した形状に形成された複数のカバーパーツを連結させて構成されることを特徴とする。また、請求項３に記載の発明は、前記前面枠基体の装飾部に電飾部材が配設されると共に、該電飾部材を被覆する前記カバー部材の電飾部材被覆部位が透光性を有するレンズ部材として機能することを特徴とする。
【０００７】
さらに、請求項４に記載の発明は、前記前面枠基体の装飾部に音声発生手段が配設されると共に、該音声発生手段を被覆する前記カバー部材の音声発生手段被覆部位に音声通過孔が設けられていることを特徴とし、請求項５に記載の発明は、前記カバー部材の遊技領域の下方を被覆する部位に、前記前面枠基体の下部に設けられた受皿に遊技球を誘導するための受皿誘導樋が一体形成されていることを特徴とする。
【発明の効果】
【０００８】
本発明のうち請求項１に記載の発明によれば、窓孔部と装飾部が形成された前面枠基体の表面に、その窓孔部が透光性を有するように形成されたカバー部材により一括して覆われるため、前面枠基体の表面を略一枚物のカバー部材で覆うことができて、前面枠基体へのカバー部材の取付作業が極めて簡単に行える等、前面枠の組立作業性を向上させてその製造工程の大幅な簡素化を図ることができる。
【０００９】
また、請求項２に記載の発明によれば、請求項１に記載の発明の効果に加え、カバー部材が、被覆する部位毎にそれぞれ対応した形状の複数のカバーパーツを連結させて構成されるため、装飾部の各機能に応じた複数のカバーパーツを予め成形し、これを熱溶着等により連結させてカバー部材を形成でき、意匠的に変化に富みかつ各カバーパーツ間に隙間等のないカバー部材が容易に得られて、前面枠表面の意匠的美観を向上させることができる。
【００１０】
また、請求項３に記載の発明によれば、請求項１または２に記載の発明の効果に加え、前面枠基体の装飾部に電飾部材が配設されると共に、この電飾部材を被覆するカバー部材の電飾部材被覆部位が透光性を有するレンズ部材として機能するため、カバーを電飾用のレンズとして使用でき、電飾効果を高めて前面枠表面の意匠的美観を一層向上させることができる。
【００１１】
さらに、請求項４に記載の発明によれば、請求項１ないし３に記載の発明の効果に加え、前面枠基体の装飾部に音声発生手段が配設されると共に、この音声発生手段を被覆するカバー部材の音声発生手段被覆部位に音声通過孔が設けられるため、遊技等に関する音声を音声発生手段から前面枠前方に良好に発することができて、遊技機による遊技性を十分に高めることができる。
【００１２】
また、請求項５に記載の発明によれば、請求項１ないし４に記載の発明の効果に加え、カバー部材の遊技領域下方を被覆する部位に、前面枠基体の下部に設けられた受皿に遊技球を誘導するための受皿誘導樋が一体形成されているため、例えば遊技者が遊技機と併設された球自販機で購入した遊技球を遊技機下方の受皿に自動的に誘導できて、遊技機による遊技性の一層の向上を図ることができる。
【発明を実施するための最良の形態】
【００１３】
以下、本発明の実施の形態を図面に基づいて詳細に説明する。
図１〜図４は、本発明に係わるパチンコ遊技機の一実施形態を示し、図１がその正面図、図２が前面枠の開放状態を示す斜視図、図３が前面枠の分解斜視図、図４が前面枠基体の裏面図である。
【００１４】
図１及び図２に示すように、パチンコ遊技機１は、縦長の矩形状に枠組み形成されその前面下部に腰板部３が張設された外枠２と、この外枠２の前面側の一端部に上下のヒンジ４によって開閉自在に装着されると共に図示しない遊技盤保持枠が形成された内枠５と、この内枠５の前面側の幅方向一端部に前記ヒンジ４によって開閉自在に装着された前面枠６等で構成されている。
【００１５】
前記前面枠６は、図２〜図４に示すように、その高さ寸法（高さ幅）が前記外枠２の上端から下部に位置する腰板部３の上端までの寸法と略等しく設定された前面枠基体７と、この前面枠基体７の表面７ａに装着された装飾カバーユニット８と、前記前面枠基体７の裏面７ｂに装着されたガラス枠ユニット９等を備えている。このうち前面枠基体７は、図３に示すように鉄板等の金属板よって略板状に形成され、略円形の窓孔部１０としての開口１０ａが形成されると共に、表面７ａ側の開口１０ａ周囲に各種形状のカバー取付部１１ａを有する装飾部１１が一体形成されている。
【００１６】
また、前記装飾カバーユニット８は、図２及び図３に示すように、４つのカバーパーツにより正面視略円環状に形成されてその中央部分に前記開口１０ａと共に、窓孔部１０を形成する略円形の開口１０ｂが形成されたカバー部材１２と、このカバー部材１２の下部表面側に被覆される操作ハンドルカバー１３と、カバー部材１２の左上部に配置される正面視三日月状の電飾カバー１４等によって構成されている。
【００１７】
このうち、カバー部材１２は、遊技者が例えばパチンコ遊技機１に併設された球自販機で購入した遊技球を、前記操作ハンドルカバー１３に設けられた受皿１５に誘導するための受皿誘導樋１６が一体形成された非透光性の受皿誘導樋カバー１２ａと、この誘導樋カバー１２ａの左上部及び右側方に一体化されその内部に電飾部材としてのＬＥＤ（図示せず）が配置された透光性の電飾カバー１２ｂ、１２ｃと、この電飾カバー１２ａ、１２ｃ間で受皿誘導樋カバー１２ａと直径方向の対向位置に設けられ内部にスピーカ等の音声発生手段（図示せず）が配置された非透光性の音声発生カバー１２ｄの４つのカバーパーツによって形成されている。
【００１８】
そして、これら４つの各カバー１２ａ〜１２ｄが、後述するように予め所定の成形型を使用しかつ所定色の樹脂により成形されると共に、この成形した各カバー１２ａ〜１２ｄを熱溶着用の型内にセットして各接合部を熱溶着することにより各カバー１２ａ〜１２ｄが一体化されてカバー部材１２が形成されている。これらの各カバー１２ａ〜１２ｄのうち少なくとも電飾カバー１２ｂ、１２ｃは、内部に配置されるＬＥＤ等の色が前面枠６の前方に効果的に放射されるように、その内面及び表面が例えば曲面と平面を組み合わせた三次元形状に形成されてレンズとして機能するようになっている。
【００１９】
この場合、受皿誘導樋カバー１２ａや音声発生カバー１２ｄで覆う装飾部１１にＬＥＤ等が配置される場合には、各カバー１２ａ、１２ｄの該ＬＥＤに対応した部分にレンズ機能も持たせることも勿論可能であり、このことはカバー部材１２以外の操作ハンドルカバー１３や電飾カバー１４についても同様である。さらに、前記音声発生カバー１２ｄは音声発生手段の前面に開口が設けられて、この開口に音声通過孔を形成する例えば金属の薄板からなるメッシュ板１８（図１参照）が嵌め込まれれている。
【００２０】
なお、前記電飾カバー１４は、カバー部材１２と別体で形成されて前面枠基体７の左上コーナ部に配置され、その内部の前面枠基体７の装飾部１１には、図示しない枠状態表示ＬＥＤ等が配置されている。この電飾カバー１４は電飾カバー１２ｂと別体に限らず、電飾カバー１２ｂに一体成形することでカバー部材１２に一体化することも勿論可能である。また、カバー部材１２の各カバー１２ａ〜１２ｄや電飾カバー１４の裏面側、あるいは操作ハンドルカバー１３の裏面側には、突起等からなる取付部２３（図３参照）がそれぞれ設けられており、この取付部２３が前面枠基体７の前記装飾部１１のカバー取付部１１ａに、例えば凹凸嵌合やビス止め等の適宜の固着手段により位置決めされつつ取り付けられている。
【００２１】
さらに、前記前面枠基体７の裏面７ｂには、図４に示すように、開口１０の周囲にガラス枠ユニット９を取り付けるための固定フック１９や差し込み軸２０が複数個設けられている。そして、幅方向一端側の上下の差し込み軸２０に、ガラス枠ユニット９の一端側の上下に設けた突起（図示せず）をそれぞれ嵌合させると共に、ガラス枠ユニット９の幅方向他端側を固定フック１９で係止させることにより、ガラス枠ユニット９が前面枠基体７の裏面７ｂに装着されている。このガラス枠ユニット９の枠に取り付けられるガラス９ａとしては、枠形状に合致した平面ガラスが使用されるが、例えば遊技盤に対して外方（前面枠６の表面方向）に突出した凸状の曲面ガラスを使用して、パチンコ遊技機１のデザイン効果を高めることも勿論可能である。
【００２２】
次に、このように構成された前面枠６の製造方法の一例と前面枠６の開放動作の一例について説明する。先ず、前面枠６の製造は、前面枠基体７をプレス加工して開口１０ａや装飾部１１を一体形成すると共に、固定フック１９や差し込み軸２０を取り付け、またこれとは別に装飾カバーユニット８を作成する。この装飾カバーユニット８の作成は、各カバーに対応した所定の金型と所定色の樹脂を使用して、前記受皿誘導樋カバー１２ａ、電飾カバー１２ｂ、１２ｃ及び音声発生カバー１２ｄからなるカバー部材１２の４個のカバーパーツと、操作ハンドルカバー１３及び電飾カバー１４の合計６個のカバーを作成する。この時、前記音声発生カバー１２ｄは、成形したベースの開口に予め成形等した音声通過部材としてのメッシュ板１８を嵌め込み固定することによって作成される。
【００２３】
そして、前記カバー部材１２を形成する各カバー１２ａ〜１２ｄを作成したら、これらの各カバー１２ａ〜１２ｄを前面枠６の外形形状に略合致した形状の型を使用し、該型の所定位置に各カバー１２ａ〜１２ｄを配置して、これらの各接合端部を所定温度で加熱して熱溶着させる。これにより、各カバー１２ａ〜１２ｄが一体化されて各カバー１２ａ〜１２ｄ間の接合部に隙間がなくかつ中央部分に前記開口１０ｂが形成されたカバー部材１２が作成される。なお、前記電飾カバー１４は、カバー部材１２と別体で構成する場合に所定の金型を使用して個別に成形される。
【００２４】
前面枠基体７とカバー部材１２等を作成したら、前面枠基体７の装飾部１１に各種ＬＥＤが搭載された電飾用の基板や状態表示基板等（いずれも図示せず）を取り付ける。そして、これらの各種部品が取り付けられた前面枠基体７の装飾部１１に、一体化したカバー部材１２や電飾カバー１４を取り付けると共に、カバー部材１２の下部に該カバー部材１２の上部を一部覆う状態で、操作ハンドルカバー１３を取り付ける。この時、カバー部材１２の装飾部１１への取り付けは、カバー部材１２の開口１０ｂを前面枠基体７の開口１０ａに合致させる状態で前面枠基体７の表面７ａ側から装着しつつ、装飾部１１のカバー取付部１１ａを利用して固定することにより行われる。
【００２５】
また、カバー部材１２の下部に装着される操作ハンドルカバー１３には、操作ハンドル２１や演出ボタン２２等が取り付けられており、該カバー１３内部には演出スイッチ基板や残高表示基板あるいは残高表示器等（いずれも図示せず）が内蔵された状態となっている。この操作ハンドルカバー１３の取付部２３を介した取り付けにより、装飾カバーユニット８が前面枠基体７の表面７ａに取り付けられ、次に、前面枠基体７の裏面７ｂに前記ガラス枠ユニット９を差し込み軸２０と固定フック１９で取り付けることにより前面枠６が形成される。この前面枠６は、その幅方向の左端側の上下に設けたヒンジ４が外枠２に回動自在に支持されると共に、幅方向の右端下部に設けた鍵ユニット１７（図２参照）により施錠されたり解錠されて開放可能に外枠２に組み付けられる。
【００２６】
そして、このように組み付けられたパチンコ遊技機１において、前面枠６は次のようにして開放操作される。すなわち、鍵ユニット１７により施錠された状態において、鍵ユニット１７に鍵１７ａを差し込み反時計方向に回転させることにより、図２に示すように、前面枠６のみが外枠２（内枠５）に対して開放され、鍵ユニット１７に鍵１７ａを差し込んで時計方向に回転させることにより、図示はしないが内枠５が前面枠６と一体となって開放されることになる。
【００２７】
また、内枠５と前面枠６が前記鍵ユニット１７により施錠された状態において、遊技盤の前面は前面枠６で完全に被覆されると共に、前面枠６の窓孔部１０から内枠５に取り付けられた遊技盤の遊技領域が視認される。この視認状態において、パチンコ遊技機１の最も前面に位置する装飾カバーユニット８のカバー部材１２が、各カバー１２ａ〜１２ｄの熱溶着により一体化されると共に、このカバー部材１２の下部前面に操作ハンドルカバー１３が一体的に組み付けられていることから、各カバー１２、１３の表面間に隙間がほとんど形成されず、パチンコ遊技機１の腰板部３上に１枚の装飾用カバー（カバー部材１２及び操作ハンドルカバー１３等）が位置した状態となり、この状態で遊技者により遊技が行われることになる。
【００２８】
なお、以上の前面枠６の製造方法の説明は一例であって、各種手順で行うことができるし、前面枠基体７への各種部品や基板の組み付けあるいは各種装飾カバーの組み付けも手動で行うことは勿論のこと、例えば予め成形された各カバー１２ａ〜１２ｄの溶着、カバー部材１２や各種基板等の各部品の前面枠基体７の装飾部１１への組み付け等の作業をロボットにより自動的に行うようにする等、各工程の一部や全部を自動化することも可能である。
【００２９】
このように、上記実施形態のパチンコ遊技機１にあっては、前面枠基体７の表面７ａに開口１０ａからなる窓孔部１０を形成すると共にこの開口１０ａの周囲に装飾部１１を形成し、前面枠基体７の表面７ａを、該基体７の開口１０ａに対応した開口１０ｂが形成されたカバー部材１２により一括して覆うため、前面枠基体７の表面７ａを略一枚物のカバー部材１２で覆うことができて、前面枠基体７へのカバー部材７の取付作業が極めて簡単に行える等、前面枠７の組立作業性を向上させてその製造工程の大幅な簡素化を図ることができる。特に、カバー部材１２の取付部と前面枠基体のカバー取付部１１ａとを凹凸嵌合等のワンタッチ式の固着構造を採用すれば、前面枠６の製造をより一層簡単に行うことができる。
【００３０】
また、装飾部１１を覆うカバー部材１２が、遊技球誘導樋部や左右の電飾部及び音声発生部の各部位毎にそれぞれ対応した形状の４つのカバー１２ａ〜１２ｄで形成され、これらが熱溶着されて互いに連結されることで中央に開口１０ｂを有する正面視略円環状に形成されているため、装飾部１１の各機能に応じた複数のカバー１２ａ〜１２ｄを連結させてカバー部材１２を形成でき、意匠的に変化に富み中央に窓孔部１０を形成する開口１０ｂを有するカバー部材１２を簡単に製造することができる。
【００３１】
また、前面枠基体７の装飾部１１にＬＥＤ等の電飾部材が配設され、この電飾部材がカバー部材１２の電飾カバー１２ｂ、１２ｃ等で被覆されると共に、この電飾カバー１２ｂ、１２ｃ等が透光性を有してその内面や表面形状等によりレンズとして機能することから、電飾カバー１２ｂ、１２ｃを電飾用のレンズとして使用できて、内部の光をカバー部材１２を介して外部である前方に効果的に放つことができる等、カバー部材１２により装飾カバーユニット８の電飾効果を一層高めることができる。
【００３２】
さらに、パチンコ遊技機１の前面となる前面枠６に、開口１０ｂを有するカバー部材１２が配置されると共に、このカバー部材１２に連続した状態で遊技球発射操作ハンドル２１等が組み付けられた操作ハンドルカバー１３が一体的に組付配置されているため、前面枠基体７のカバー部分における隙間の発生をほとんどなくすことができる。また、窓孔部１０の周囲に配置されるカバー部材１２が、受皿誘導樋カバー１２ａと電飾カバー１２ｂ、１２ｃ及び音声発生カバー１２ｄを熱溶着で溶着することにより一体化された状態で前面枠基体７に取り付けられているため、カバー部材１２の所定位置に所定機能に応じた所定色のカバーを一体的に配置することができ、これらのことから、従来にない意匠的美観を高めたパチンコ遊技機１を提供することが可能となる。
【００３３】
また、前面枠基体７の装飾部１１にスピーカ等の音声発生手段が配設されると共に、この音声発生手段を被覆する音声発生カバー１２ｄにメッシュ板１８が設けられているため、遊技等に関する音声を音声発生手段から前面枠６前方に良好に発することができる。また、カバー部材１２の受皿誘導樋カバー１２ａに、前面枠基体７の下部に設けた受皿１５に遊技球を誘導するための受皿誘導樋１６が一体形成されているため、例えば遊技者がパチンコ遊技機１と併設された球自販機で購入した遊技球を下方の受皿１５に自動的かつ確実に誘導することができる。これらにより、遊技者が快適な音楽を聴きながら遊技球の購入をスムーズに行いつつ、パチンコ遊技を良好に楽しむことが可能となる。
【００３４】
また、上記実施形態のパチンコ遊技機にあっては、次のような付随的な作用効果を奏することができる。すなわち、外枠２に対して開閉自在に装着された内枠５の前面に、該内枠５の全体を一括して被覆するように前面枠６が開閉自在に設けられているため、パチンコ遊技機１の前面となる前面枠６が、例えば図５に示すパチンコ遊技機のように複数の扉枠に分割されることがなくなり、従来各扉枠間の接合部１０８に必然的に発生していた隙間をなくすことができて、例えば隙間から不正具を挿入する等の不正行為の発生を確実に防ぐことができる。
【００３５】
また、前面枠６に設けた鍵ユニット１７に、鍵１７ａを差し込んで反時計方向に回転操作することにより前面枠７を外枠２から開放できると共に、鍵１７ａを差し込んで時計方向に回転操作することにより内枠５と前面枠７を開放できるため、一つの鍵１７ａの操作で前面枠６や内枠５を開放できて、前面枠６や内枠５の開放操作自体を簡単に行うことができると共に、一つの鍵ユニット１７の配置で対応できて、施錠機構の簡略化を図ることができる。また、１枚物の前面枠６を開放することで遊技盤の前面や遊技球発射操作ハンドル２１部分が開放されるため、遊技中の各種トラブル発生時に、従来のように第１〜第３の各扉枠を上段から順に一々開ける必要がなくなり、トラブル発生時の対応を的確かつ素早く行うこともできる。
【００３６】
なお、以上の説明においては、装飾カバーユニット８のカバー部材１２を４つのカバー１２ａ〜１２ｄに分割した場合について説明したが、例えば左右に二分割したりあるいは所定位置で三分割や五分割以上に分割する等、パチンコ遊技機１の前面意匠や機能に合わせて適宜に分割することができるし、各カバー１２ａ〜１２ｄの色調等も適宜に変更することができる。また、例えばカバー部材１２の形態があまり複雑でない場合には、各カバー１２ａ〜１２ｄを複数色の樹脂を使用した多色同時成形により一体成形しても良く、この場合は、熱溶着作業等が不要となって、カバー部材１２の一層のコストダウンが図れると共に、カバー部材１２が接合部のない完全な一枚物となって、パチンコ遊技機１の意匠的美観の一層の向上や不正行為の一層の防止等を図ることができる。
【００３７】
さらに、上記実施形態においては、カバー部材１２のカバー１２ｂ、１２ｃを透光性としカバー１２ａ、１２ｄは非透光性としたが、本発明はこれに限定されず、例えばカバー１２ａ、１２ｄを透光性かあるいは半透光性の樹脂で形成しても良く、前面枠６に要求される意匠や機能に応じて所定の材質を使用することができる。また、上記実施形態においては、操作ハンドルカバー１３をカバー部材１２と別体としたが、例えば前記電飾カバー１２ｃ部分に操作ハンドルカバー１３を一体成形する等、カバー部材１２に操作ハンドルカバー１３を一体化した構成を採用しても良い、またさらに、上記実施形態においては、カバー部材１２の各カバー１２ａ〜１２ｄを熱溶着で連結したが、例えば接着剤やビス止め等の適宜の固着手段で一体化しても良いし、上記実施形態における、前面枠基体７、受皿誘導樋１６、受皿１５の形状や配置位置等も一例であって、本発明に係わる各発明の要旨を逸脱しない範囲において適宜に変更することができる。
【産業上の利用可能性】
【００３８】
本発明は、パチンコ遊技機に限らず、外枠や内枠等の枠の前面に前面枠が開閉自在に装着される、例えばコイン（メダル）を遊技媒体とするスロット遊技機等の各種遊技機に適用できる。
【図面の簡単な説明】
【００３９】
【図１】本発明に係わる遊技機としてのパチンコ遊技機の一実施形態を示す正面図
【図２】同その前面枠の開放状態を示す斜視図
【図３】同前面枠の分解斜視図
【図４】同前面枠基体の裏面図
【図５】従来のパチンコ遊技機の一例を示す正面図
【符号の説明】
【００４０】
１・・・・・・・・パチンコ遊技機
２・・・・・・・・外枠
３・・・・・・・・腰板部
５・・・・・・・・内枠
６・・・・・・・・前面枠
７・・・・・・・・前面枠基体
７ａ・・・・・・・表面
７ｂ・・・・・・・裏面
８・・・・・・・・装飾カバーユニット
９・・・・・・・・ガラス枠ユニット
１０・・・・・・・窓孔部
１０ａ、１０ｂ・・開口
１１・・・・・・・装飾部
１１ａ・・・・・・カバー取付部
１２・・・・・・・カバー部材
１２ａ・・・・・・受皿誘導樋カバー
１２ｂ、１２ｃ・・電飾カバー
１２ｄ・・・・・・音声発生カバー
１３・・・・・・・操作ハンドルカバー
１４・・・・・・・電飾カバー
１５・・・・・・・受皿
１６・・・・・・・受皿誘導樋
１７・・・・・・・鍵ユニット
１８・・・・・・・メッシュ板
１９・・・・・・・固定フック
２０・・・・・・・差し込み軸
２１・・・・・・・遊技球発射操作ハンドル
【図１】
2006174963.tif 000003
【図２】
2006174963.tif 000004
【図３】
2006174963.tif 000005
【図４】
2006174963.tif 000006
【図５】
2006174963.tif 000007